Podtech/llm-jp-corpus-v4-ja_patent huggingface dataset:
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
（ｉ）（ａ）弱毒化生デングウイルス；
（ｂ）不活化デングウイルス；
（ｃ）弱毒化生または不活化キメラデングウイルス；
（ｄ）デングウイルス様粒子（ＶＬＰ）；および
（ｅ）（ａ）〜（ｄ）のうち２つ以上の組み合わせ
からなる群から選択されるデング抗原；
または
（ｉｉ）デングＶＬＰであるデング抗原をヒト細胞中で発現することができる核酸構築物またはウイルスベクター
を含むデングウイルス血清型２ワクチン組成物であって、
該デング抗原が、配列番号１２と少なくとも９０％の同一性を有するポリペプチドを含む、
組成物。
【請求項２】
該ポリペプチドが、配列番号１２と少なくとも９２％、少なくとも９４％、少なくとも９６％、少なくとも９８％または少なくとも９９％の同一性を有する、請求項１記載の組成物。
【請求項３】
該ポリペプチドが、配列番号１２の位置２５１に対応する該ポリペプチド内の位置にバリン残基を含む、請求項１または２記載の組成物。
【請求項４】
該ポリペプチドが、配列番号１２の位置１２９に対応する該ポリペプチド内の位置にイソロイシン残基を含む、請求項１〜３のいずれか１項記載の組成物。
【請求項５】
該ポリペプチドが、配列番号１２の位置２０３に対応する該ポリペプチド内の位置にアスパラギン酸残基を含む、請求項１〜４のいずれか１項記載の組成物。
【請求項６】
該ポリペプチドが、配列番号１２の位置２２６に対応する該ポリペプチド内の位置にトレオニン残基を含む、請求項１〜５のいずれか１項記載の組成物。
【請求項７】
該ポリペプチドが、配列番号１２の位置２２８に対応する該ポリペプチド内の位置にグリシン残基を含む、請求項１〜６のいずれか１項記載の組成物。
【請求項８】
該ポリペプチドが、配列番号１２の位置３０８に対応する該ポリペプチド内の位置にイソロイシン残基を含む、請求項１〜７のいずれか１項記載の組成物。
【請求項９】
該ポリペプチドが、配列番号１２の位置４８４に対応する該ポリペプチド内の位置にイソロイシン残基を含む、請求項１〜８のいずれか１項記載の組成物。
【請求項１０】
該ポリペプチドが、（ｉ）配列番号１３に記載された配列、または配列番号１３に記載された配列に関して少なくとも１個以上５個以下のアミノ酸置換を有する配列；（ｉｉ）配列番号１４に記載された配列、または配列番号１４に記載された配列に関して少なくとも１個以上５個以下のアミノ酸置換を有する配列；（ｉｉｉ）配列番号１５に記載された配列、または配列番号１５に記載された配列に関して少なくとも１個以上５個以下のアミノ酸置換を有する配列；（ｉｖ）配列番号１６に記載された配列、または配列番号１６に記載された配列に関して少なくとも１個以上５個以下のアミノ酸置換を有する配列；（ｖ）配列番号１８に記載された配列、または配列番号１８に記載された配列に関して少なくとも１個以上５個以下のアミノ酸置換を有する配列；または（ｖｉ）配列番号２６に記載された配列、または配列番号２６に記載された配列に関して少なくとも１個以上５個以下のアミノ酸置換を有する配列を含む、請求項１〜９のいずれか１項記載の組成物。
【請求項１１】
該デング抗原が、
ｉ）配列番号１３に記載された配列を有するポリペプチド、または配列番号１３に記載された配列に関して少なくとも１個以上５個以下のアミノ酸置換を有するポリペプチド；および
配列番号１９に記載された配列を有するポリペプチド、または配列番号１９に記載された配列に関して少なくとも１個以上５個以下のアミノ酸置換を有するポリペプチド；
ｉｉ）配列番号１４に記載された配列を有するポリペプチド、または配列番号１４に記載された配列に関して少なくとも１個以上５個以下のアミノ酸置換を有するポリペプチド；および
配列番号２０に記載された配列を有するポリペプチド、または配列番号２０に記載された配列に関して少なくとも１個以上５個以下のアミノ酸置換を有するポリペプチド；
ｉｉｉ）配列番号１５に記載された配列を有するポリペプチド、または配列番号１５に記載された配列に関して少なくとも１個以上５個以下のアミノ酸置換を有するポリペプチド；および
配列番号２１に記載された配列を有するポリペプチド、または配列番号２１に記載された配列に関して少なくとも１個以上５個以下のアミノ酸置換を有するポリペプチド；
ｉｖ）配列番号１６に記載された配列を有するポリペプチド、または配列番号１６に記載された配列に関して少なくとも１個以上５個以下のアミノ酸置換を有するポリペプチド；および
配列番号２２に記載された配列を有するポリペプチド、または配列番号２２に記載された配列に関して少なくとも１個以上５個以下のアミノ酸置換を有するポリペプチド；
ｖ）配列番号１８に記載された配列を有するポリペプチド、または配列番号１８に記載された配列に関して少なくとも１個以上５個以下のアミノ酸置換を有するポリペプチド；および
配列番号２３に記載された配列を有するポリペプチド、または配列番号２３に記載された配列に関して少なくとも１個以上５個以下のアミノ酸置換を有するポリペプチド；
または
ｖｉ）配列番号２６に記載された配列を有するポリペプチド、または配列番号２６に記載された配列に関して少なくとも１個以上５個以下のアミノ酸置換を有するポリペプチド；および
配列番号２７に記載された配列を有するポリペプチド、または配列番号２７に記載された配列に関して少なくとも１個以上５個以下のアミノ酸置換を有するポリペプチド
を含む、請求項１０記載の組成物。
【請求項１２】
ＭＤ１２８０株由来のｐｒＭ−Ｅ配列（配列番号７）と少なくとも９０％、少なくとも９５％、少なくとも９８％または少なくとも９９％の同一性を有するｐｒＭ−Ｅ配列を含む、請求項１〜１１のいずれか１項記載の組成物。
【請求項１３】
該組成物が弱毒化生キメラデングウイルスを含む、請求項１〜１２のいずれか１項記載の組成物。
【請求項１４】
該組成物が、デングウイルス由来の１種類以上のタンパク質および別のフラビウイルス由来の１種類以上のタンパク質を含む、請求項１３記載の組成物。
【請求項１５】
該別のフラビウイルスが黄熱ウイルスである、請求項１４記載の組成物。
【請求項１６】
血清型２のデングウイルスに対する中和抗体を産生させる方法に使用するための、請求項１〜１５のいずれか１項記載の組成物。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
デング病に対するヒト対象の保護方法に使用するためのワクチン組成物であって、以下：
(i)  以下からなる群から選択されるデング抗原：
(a)  弱毒化生デングウイルス;
(b)  不活化デングウイルス;
(c)  弱毒化生、または不活化キメラデングウイルス;
(d)  デングウイルス様粒子 (ＶＬＰ); および
(e)  (a)〜(d)の２つ以上の組合せ;
または
(ii)  ヒト細胞において、デングＶＬＰであるデング抗原を発現させることのできる核酸構築物またはウイルスベクター
を含む、ワクチン組成物。
【請求項２】
該対象がデング免疫性である、請求項１記載の、使用するための組成物。
【請求項３】
該ヒトが９〜１６歳である、請求項１または２記載の、使用するための組成物。
【請求項４】
該ヒトが９〜６０歳である、請求項１または２記載の、使用するための組成物。
【請求項５】
該ヒトが９〜４５歳である、請求項１または２記載の、使用するための組成物。
【請求項６】
該対象がデング流行地域に居住している、請求項１〜５のいずれか記載の、使用するための組成物。
【請求項７】
該デング病が、血清型１、血清型３または血清型４のデングウイルスにより引き起こされる、請求項１〜６のいずれか記載の方法に使用するための組成物。
【請求項８】
該方法が該組成物を３回以上投与することを含む、請求項１〜７のいずれか記載の、使用するための組成物。
【請求項９】
該方法が、１回目、２回目および３回目に投与することを含み、２回目の投与を１回目の投与から約６ヶ月後に行い、３回目の投与を１回目の投与の約１２ヶ月後に行う、請求項６〜８のいずれか記載の、使用するための組成物。
【請求項１０】
該組成物が血清型１のデング抗原、血清型２のデング抗原、血清型３のデング抗原および血清型４のデング抗原を含む、請求項１〜９のいずれか記載の、使用するための組成物。
【請求項１１】
該組成物が、弱毒化生デングウイルスまたは弱毒化生キメラデングウイルスを含む、請求項１〜１０のいずれか記載の、使用するための組成物。
【請求項１２】
弱毒化生キメラデングウイルスを含む、請求項１〜１１のいずれか記載の、使用するための組成物。
【請求項１３】
該キメラデングウイルスが、デングウイルス由来の１つ以上の蛋白質と、異なるフラビウイルス由来の１つ以上の蛋白質とを含む、請求項１〜１２のいずれか記載の、使用するための組成物。
【請求項１４】
異なるフラビウイルスが、黄熱ウイルスである、請求項１３記載の、使用するための組成物。
【請求項１５】
該キメラデングウイルスが、ｐｒＭ−Ｅ配列がデングウイルスのｐｒＭ−Ｅ配列で置換された、黄熱ウイルスのゲノムを含む、請求項１０〜１４のいずれか記載の、使用するための組成物。
【請求項１６】
少なくとも１つの血清型デングウイルスが、約１０３〜約１０６ CCID５０の量で存在する、請求項１０〜１５のいずれか記載の、使用するための組成物。
【請求項１７】
４つ全ての血清型のデングウイルスを含み、各血清型が約１０３〜約１０６ CCID５０の量で存在する、請求項１５記載の、使用するための組成物。
【請求項１８】
４つ全ての血清型のデングウイルスを含み、各血清型が約１０５ CCID５０の量で存在する、請求項１６記載の、使用するための組成物。
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
1種または複数のmTOR経路関連疾患を治療するための、式(I):
【化１】
2015524446.tif 000001
(式中、R1は-CNであり、
R2およびR3およびR5はそれぞれ独立してH、アルキル、ハロゲン、-CF3または-CNから選択され、
R4およびR6はそれぞれ独立してH、アルキル、ハロゲン、アルコキシ、-CF3、-OCF3、-SO2CF3、-SOCF3または-SCF3から選択され、
Xはヘテロ原子、N(アルキル)またはNHであり、
nは1から20である)
の化合物、またはその代謝物、薬学的に許容される塩、溶媒和化合物もしくはプロドラッグ。
【請求項２】
R2がHまたはハロゲンであり、
R3が-CF3またはハロゲンであり、
R4が-SCF3、-SOCF3、-SO2CF3、-OCF3または-CF3であり、
R5がHであり、
R6がアルキルであり、
XがOであり、
nが1から5である、請求項1に記載の化合物。
【請求項３】
R4がアミド部分に対してパラ位である、請求項1または2に記載の化合物。
【請求項４】
式(I)の化合物が、(R)-もしくは(S)-エナンチオマーまたはラセミ体である、請求項1から3のいずれか一項に記載の化合物。
【請求項５】
式(I)の化合物が、(S)-エナンチオマーである、請求項1から4のいずれか一項に記載の化合物。
【請求項６】
式(I)の化合物が、以下の化合物:
【化２】
2015524446.tif 000002
またはその代謝物、薬学的に許容される塩、溶媒和化合物もしくはプロドラッグのいずれか1つから選択され、前記化合物のそれぞれが、(R)-もしくは(S)-エナンチオマーまたはラセミ体である、請求項1から5のいずれか一項に記載の化合物。
【請求項７】
式(I)の化合物が、以下の化合物:
【化３】
2015524446.tif 000003
またはその代謝物、薬学的に許容される塩、溶媒和化合物もしくはプロドラッグである、請求項1に記載の化合物。
【請求項８】
式(I)の化合物が、MPL(N-[(1S)-1-シアノ-2-(5-シアノ-2-トリフルオロメチル-フェノキシ)-1-メチル-エチル]-4-トリフルオロメチルスルファニル-ベンズアミド):
【化４】
2015524446.tif 000004
またはその代謝物、薬学的に許容される塩、溶媒和化合物もしくはプロドラッグである、請求項1から5のいずれか一項に記載の化合物。
【請求項９】
式(I)の化合物が、モネパンテルスルホン(MPL-SO2):
【化５】
2015524446.tif 000005
またはその代謝物、薬学的に許容される塩、溶媒和化合物もしくはプロドラッグである、請求項1から5のいずれか一項に記載の化合物。
【請求項１０】
1種または複数のmTOR経路関連疾患が、アルツハイマー病、ハンチントン病、加齢性疾患、移植拒絶反応に関連する疾患、慢性炎症性疾患、グリコーゲン蓄積に関連する疾患、癌、転移、全身性エリテマトーデス、炎症および免疫活性化に関連する疾患、貧血、白血球減少症、血小板減少症、ステントのコーティングに関連する疾患、腎不全、肥満、糖尿病/インスリン抵抗性、非アルコール性脂肪肝に関連する疾患、多発性嚢胞腎疾患、パーキンソン病および線維症から選択される、請求項1から9のいずれか一項に記載の化合物。
【請求項１１】
mTOR経路関連疾患が、慢性炎症性疾患である、請求項10に記載の化合物。
【請求項１２】
慢性炎症性疾患が、関節リウマチまたは移植後の臓器拒絶反応である、請求項11に記載の化合物。
【請求項１３】
線維症が、肝線維症、心臓線維症または肺線維症である、請求項10に記載の化合物。
【請求項１４】
疾患が、癌または転移である、請求項10に記載の化合物。
【請求項１５】
癌がキナーゼに関連する、請求項14に記載の化合物。
【請求項１６】
キナーゼがサイクリン依存性キナーゼである、請求項15に記載の化合物。
【請求項１７】
サイクリン依存性キナーゼがcdk2またはcdk4である、請求項16に記載の化合物。
【請求項１８】
癌が、膀胱癌、乳癌、結腸癌、中皮腫癌、腎臓癌、肝臓癌、小細胞肺癌、非小細胞肺癌を含む肺癌、頭頸部癌、食道癌、胆嚢癌、卵巣癌、膵臓癌、胃癌、子宮頸癌、甲状腺癌、前立腺癌、および扁平上皮癌を含む皮膚癌を含む癌腫;白血病、急性リンパ球性白血病、急性リンパ芽球性白血病、B細胞リンパ腫、T細胞リンパ腫、ホジキンリンパ腫、非ホジキンリンパ腫、ヘアリー細胞リンパ腫、マントル細胞リンパ腫、骨髄腫およびバーキットリンパ腫を含むリンパ系の造血器腫瘍;急性および慢性骨髄性白血病、骨髄異形成症候群ならびに前骨髄球白血病を含む骨髄系の造血器腫瘍;線維肉腫および横紋筋肉腫を含む間葉由来の腫瘍;星状膠細胞腫、神経芽細胞腫、神経膠腫およびシュワン細胞腫を含む中枢および末梢神経系の腫瘍;ならびに黒色腫、セミノーマ、奇形癌腫、骨肉腫、色素性乾皮症、角化棘細胞腫、甲状腺濾胞癌およびカポジ肉腫を含むその他の腫瘍から選択される、請求項14に記載の化合物。
【請求項１９】
癌が、卵巣癌、乳癌、前立腺癌または中皮腫癌から選択される、請求項18に記載の化合物。
【請求項２０】
疾患が卵巣癌である、請求項19に記載の化合物。
【請求項２１】
1種または複数のmTOR経路関連疾患が、アルツハイマー病、ハンチントン病、加齢性疾患、移植拒絶反応に関連する疾患、慢性炎症性疾患、グリコーゲン蓄積に関連する疾患、全身性エリテマトーデス、炎症および免疫活性化に関連する疾患、貧血、白血球減少症、血小板減少症、ステントのコーティングに関連する疾患、腎不全、肥満、糖尿病/インスリン抵抗性、非アルコール性脂肪肝に関連する疾患、多発性嚢胞腎疾患、パーキンソン病および線維症から選択される、請求項10に記載の化合物。
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
２−ヒドロキシプロピル−β−シクロデキストリン（２ＨＰβＣＤ）、又はその薬学的に許容される塩、エステル、溶媒和物或いは水和物を有効成分として含有してなる、ガラクトシアリドーシス、サラ病、シスチン蓄積症、ダノン病、ポンペ病、ＩＳＳＤ又はシンドラー病の患者におけるライソゾーム蓄積症を治療するための医薬組成物。
【請求項２】
２ＨＰβＣＤと異なる追加の治療薬をさらに含有してなる、請求項１に記載の医薬組成物。
【請求項３】
追加の治療薬がビタミンである、請求項２に記載の医薬組成物。
【請求項４】
追加の治療薬がビタミンＥである、請求項３に記載の医薬組成物。
【請求項５】
薬学的に許容される賦形剤をさらに含有してなる、請求項１〜４の何れか一項に記載の医薬組成物。
【請求項６】
２ＨＰβＣＤを約０．０１μｇ／ｋｇ〜１００ｍｇ／ｋｇの用量で含有してなる、請求項１〜５の何れか一項に記載の医薬組成物。
【請求項７】
２ＨＰβＣＤが、約０．５ｍｇ／ｋｇ〜８ｍｇ／ｋｇの量である、請求項６に記載の医薬組成物。
【請求項８】
２ＨＰβＣＤが、単回投与で投与されるように用いられることを特徴とする、請求項７に記載の医薬組成物。
【請求項９】
追加の治療薬を約０．０５〜１ｍｇ／ｋｇの量で含有してなる、請求項２〜４の何れか一項に記載の医薬組成物。
【請求項１０】
追加の治療薬が、約０．１ｍｇ／ｋｇ〜０．３ｍｇ／ｋｇ、０．１ｍｇ／ｋｇ〜０．４ｍｇ／ｋｇ、０．１ｍｇ／ｋｇ〜０．５ｍｇ／ｋｇ、０．１ｍｇ／ｋｇ〜０．６ｍｇ／ｋｇ、０．１ｍｇ／ｋｇ〜０．７ｍｇ／ｋｇの量である、請求項９に記載の医薬組成物。
【請求項１１】
約０．０１ｍｇ／ｋｇ〜１００ｍｇ／ｋｇの量の２−ヒドロキシプロピル−β−シクロデキストリン（２ＨＰβＣＤ）、又はその薬学的に許容される塩、エステル、溶媒和物或いは水和物を有効成分として含有してなり；及び
約０．０５ｍｇ／ｋｇ〜１ｍｇ／ｋｇの量の２ＨＰβＣＤと異なる追加の治療薬を含有してなる：
ガラクトシアリドーシス、サラ病、シスチン蓄積症、ダノン病、ポンペ病、ＩＳＳＤ又はシンドラー病の患者のライソゾーム蓄積症を治療するための医薬組成物。
【請求項１２】
約０．５ｍｇ／ｋｇ〜８ｍｇ／ｋｇの量の２−ヒドロキシプロピル−β−シクロデキストリン（２ＨＰβＣＤ）、又はその薬学的に許容される塩、エステル、溶媒和物或いは水和物を有効成分として含有してなり；及び
約０．０５ｍｇ／ｋｇ〜１ｍｇ／ｋｇの量の２ＨＰβＣＤと異なる追加の治療薬を含有してなる：
ガラクトシアリドーシス、サラ病、シスチン蓄積症、ダノン病、ポンペ病、ＩＳＳＤ又はシンドラー病の患者のライソゾーム蓄積症を治療するための医薬組成物。
【請求項１３】
２ＨＰβＣＤが、非経口で投与されるように用いられることを特徴とする、請求項１〜１２の何れか一項に記載の医薬組成物。
【請求項１４】
２ＨＰβＣＤ及び／又は追加の異なる治療薬が、患者の頭蓋内に投与されるように用いられることを特徴とする、請求項１〜１３の何れか一項に記載の医薬組成物。
【請求項１５】
２−ヒドロキシプロピル−β−シクロデキストリン（２ＨＰβＣＤ）、又はその薬学的に許容される塩、エステル、溶媒和物或いは水和物、及びビタミンＥを薬学的に許容される担体又は賦形剤と共に含んでいる、医薬組成物。
【請求項１６】
２−ヒドロキシプロピル−β−シクロデキストリン（２ＨＰβＣＤ）又はそれらの薬学的に許容される塩、エステル、溶媒和物或いは水和物を含有してなる医薬組成物、及び２ＨＰβＣＤと異なる追加の治療薬を含有してなる、ガラクトシアリドーシス、サラ病、シスチン蓄積症、ダノン病、ポンペ病、ＩＳＳＤ又はシンドラー病の患者におけるライソゾーム蓄積症を治療するためのキット。
【請求項１７】
追加の治療薬がビタミンＥである、請求項１６に記載のキット。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
（ｉ）視神経損傷、
（ｉｉ）眼の再灌流傷害、または
（ｉｉｉ）眼虚血
を治療または予防する方法に使用するための、配列ＧｌｙＡｒｇＡｒｇＡｌａＡｌａＰｒｏＧｌｙＡｒｇＡｉｂＧｌｙＧｌｙ（配列番号１）を含むペプチドを含有する医薬であって、前記方法は、有効量の前記ペプチドを、それを必要とする対象の眼に投与する工程を含む、医薬。
【請求項２】
前記ペプチドは、１１アミノ酸残基配列：
ＧｌｙＡｒｇＡｒｇＡｌａＡｌａＰｒｏＧｌｙＡｒｇＡｉｂＧｌｙＧｌｙ
またはその眼科学的に許容される誘導体からなる請求項１に記載の医薬。
【請求項３】
前記ペプチドは、眼科学的に許容される誘導体であって、Ｃ末端がアミド化されてＧｌｙＡｒｇＡｒｇＡｌａＡｌａＰｒｏＧｌｙＡｒｇＡｉｂＧｌｙＧｌｙ−ＮＨ２（配列番号２）となっている誘導体からなる、請求項２に記載の医薬。
【請求項４】
対象への投与工程は１つ以上の局所適用される点眼剤による、請求項１〜３のいずれか一項に記載の医薬。
【請求項５】
対象の眼への投与工程はクリームまたは軟膏の投与による、請求項１〜３のいずれか一項に記載の医薬。
【請求項６】
対象の眼への投与工程は、対象の眼の結膜嚢に適用される液滴製剤による、請求項１〜３のいずれか一項に記載の医薬。
【請求項７】
対象の眼への投与工程は硝子体内注入による、請求項１〜３のいずれか一項に記載の医薬。
【請求項８】
配列：
ＧｌｙＡｒｇＡｒｇＡｌａＡｌａＰｒｏＧｌｙＡｒｇＡｉｂＧｌｙＧｌｙ（配列番号１）または
ＧｌｙＡｒｇＡｒｇＡｌａＡｌａＰｒｏＧｌｙＡｒｇＡｉｂＧｌｙＧｌｙ−ＮＨ２（配列番号２）
を含む有効量のペプチドが、それを必要とする対象の眼に少なくとも１日１回投与される、請求項１〜７のいずれか一項に記載の医薬。
【請求項９】
前記ペプチドが、それを必要とする対象の眼に少なくとも１日２回投与される、請求項８に記載の医薬。
【請求項１０】
前記方法は、配列：
ＧｌｙＡｒｇＡｒｇＡｌａＡｌａＰｒｏＧｌｙＡｒｇＡｉｂＧｌｙＧｌｙ（配列番号１）を含む有効量のペプチドを、それを必要とする対象の眼に少なくとも１日１回投与する工程を含む、請求項１〜７のいずれか一項に記載の医薬。
【請求項１１】
前記ペプチドが、それを必要とする対象の眼に少なくとも１日２回投与される、請求項１０に記載の医薬。
【請求項１２】
前記対象は、ヒトおよび伴侶動物のうちから選択される、請求項１〜１１のいずれか一項に記載の医薬。
【請求項１３】
視神経損傷を治療または予防する方法に使用するための、請求項１〜１２のいずれか一項に記載の医薬。
【請求項１４】
眼の再灌流傷害を治療または予防する方法に使用するための、請求項１〜１２のいずれか一項に記載の医薬。
【請求項１５】
眼虚血を治療または予防する方法に使用するための、請求項１〜１２のいずれか一項に記載の医薬。
【手続補正２】
【補正対象書類名】明細書
【補正対象項目名】発明の名称
【補正方法】変更
【補正の内容】
【発明の名称】視神経損傷、眼虚血または眼の再灌流傷害を治療または予防する医薬
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
種を制御する非治療的方法であって、
抽出された全ＤＮＡのランダム断片化によって、あるいは全ＤＮＡから開始するランダム断片合成によって得られるＤＮＡを含む組成物を、該種に曝露することを含み、
該全ＤＮＡが、該種のものか、系統的に類似の種由来のものである、
上記方法。
【請求項２】
前記制御される種が、病原種、寄生種若しくは外部寄生種から選択される、請求項１に記載の方法。
【請求項３】
前記組成物が、殺生物剤、除草剤、殺真菌剤、殺虫剤、殺ダニ剤、殺線虫剤、抗原虫剤、殺藻剤又は殺菌剤組成物から選択される、請求項１に記載の方法。
【請求項４】
殺真菌剤、殺虫剤、殺線虫剤、殺ダニ剤、殺節足動物剤、殺菌剤、殺藻剤から成る群から選択される駆除剤化合物を制御される種に曝露することをさらに含む、
請求項１から３のいずれか一項に記載の方法。
【請求項５】
抽出された全ＤＮＡのランダム断片化によって、あるいは全ＤＮＡから開始するランダム断片合成によって得られる、種のＤＮＡを含む、
抗病原、抗寄生若しくは抗外部寄生用組成物から選択される組成物。
【請求項６】
さらに殺真菌剤、殺虫剤、殺線虫剤、殺ダニ剤、殺節足動物剤、殺菌剤、殺藻剤から成る群から選択される駆除剤化合物を含む、請求項５に記載の組成物。
【請求項７】
病原種、寄生種若しくは外部寄生種に対する治療処置における使用のための、
抽出された全ＤＮＡのランダム断片化によって、あるいは全ＤＮＡから開始するランダム断片合成によって得られるＤＮＡを含む組成物であって、
該全ＤＮＡが、該病原種、寄生種若しくは外部寄生種のものか、系統的に類似の種由来のものである、
上記組成物。
【請求項８】
さらに殺真菌剤、殺虫剤、殺線虫剤、殺ダニ剤、殺節足動物剤、殺菌剤、殺藻剤から成る群から選択される駆除剤化合物を含む、請求項７に記載の組成物。
【請求項９】
種又は系統的に類似の種の制御用薬剤の製造における、抽出された全ＤＮＡのランダム断片化によって、あるいは全ＤＮＡから開始するランダム断片合成によって得られる、該種のＤＮＡの使用。
【請求項１０】
薬剤が、抗病原、抗寄生若しくは抗外部寄生用薬剤として使用される、請求項９に記載の使用。
【請求項１１】
薬剤が、殺生物剤、除草剤、殺真菌剤、殺虫剤、殺ダニ剤、殺線虫剤、抗原虫剤、殺藻剤又は殺菌剤として使用される、請求項９に記載の使用。
【請求項１２】
薬剤が殺真菌剤、殺虫剤、殺線虫剤、殺ダニ剤、殺節足動物剤、殺菌剤、殺藻剤から成る群から選択される駆除剤化合物を更に含む、請求項９から１１のいずれか一項に記載の使用。
【手続補正２】
【補正対象書類名】明細書
【補正対象項目名】００７３
【補正方法】変更
【補正の内容】
【００７３】
報告された実験の全ての例において、種々の処理で使用された核酸組成物は、図１に概説された手順に従って調製された。特に、標準的手順で有機材料（葉、真菌菌糸体、微生物バイオマス）から抽出された全ＤＮＡは、５０から１０００ｂｐサイズ範囲にあるランダム断片の組成物の製造を得るまで、浸漬超音波処理器を用いて最大出力で３分間にわたる少なくとも３サイクルの超音波処理により処理された。断片化レベルの検証は、アガロースゲル又はポリアクリルアミドゲル電気泳動及び染色法（Ｓｙｂｒセーフタイプ及びＵＶ可視化）を用いて標準的手順により実施される。
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
式Ｉの化合物またはその塩もしくは溶媒和物から式Ｖ
【化５７】
2015524406.tif 000001
の化合物またはその溶媒和物を調製する方法であって、
【化５８】
2015524406.tif 000002
（ａ）式Ｉの化合物を酸化すること；
（ｂ）酸化反応前および／または酸化反応中に反応混合物に酸Ｈ＋ｎＸｎ−を添加すること；
（ｃ）式Ｖの化合物を沈殿させること；および
（ｄ）前記反応混合物から前記沈殿を分離すること
を含み、
式中、
Ｒ１は、−ＣＨ３であり；
Ｒ２は、−Ｈ、−ＣＨ３、−（Ｃ２〜Ｃ７）アルキル、−（Ｃ２〜Ｃ４）アルケニル、ベンジル、−（Ｃ１〜Ｃ７）アルキル−（Ｃ３〜Ｃ７）シクロアルキル、−ＣＮ、またはＮ−保護基であり；
Ｘｎ−は、ＳＯ４２−であり；
ｎは、２であり、
前記酸Ｈ＋ｎＸｎ−は、Ｈ２ＳＯ４である、方法。
【請求項２】
Ｒ２が−ＣＨ３または−Ｈである、請求項１に記載の方法。
【請求項３】
式Ｉの化合物が、
【化５９】
2015524406.tif 000003
であり、式Ｖの化合物が、
【化６０】
2015524406.tif 000004
またはその溶媒和物である、請求項１または２に記載の方法。
【請求項４】
前記Ｈ２ＳＯ４が、工程（ｂ）において、式Ｉの化合物の１モル当量あたり０．４〜０．６モル当量の量で前記反応混合物に添加される、請求項１から３のいずれか一項に記載の方法。
【請求項５】
前記Ｈ２ＳＯ４が、工程（ｂ）において、式Ｉの化合物の１モル当量あたり０．４５〜０．５５モル当量の量で前記反応混合物に添加される、請求項４に記載の方法。
【請求項６】
前記Ｈ２ＳＯ４が、工程（ｂ）において、式Ｉの化合物の１モル当量あたり０．５１〜０．５５モル当量の量で前記反応混合物に添加される、請求項５に記載の方法。
【請求項７】
工程（ａ）における酸化が酸化剤の存在下で行われ、前記酸化剤が、少なくとも１つの過酸を含むまたは少なくとも１つの過酸である、請求項１から６のいずれか一項に記載の方法。
【請求項８】
少なくとも１つの過酸が、過酸化水素と少なくとも１つの酸から、工程（ａ）の反応混合物においてその場で生じる、請求項７に記載の方法。
【請求項９】
少なくとも１つの過酸が、過ギ酸、過酢酸、３−クロロペルオキシ安息香酸、ペルオキシ一硫酸カリウム、トリフルオロ過酢酸、過硫酸、および上記の任意の組合せからなる群から選択される、請求項７または８に記載の方法。
【請求項１０】
少なくとも１つの過酸が、過ギ酸、過硫酸、およびその組合せからなる群から選択される、請求項９に記載の方法。
【請求項１１】
少なくとも１つの過酸が、過酸化水素およびギ酸から工程（ａ）においてその場で生じる過ギ酸である、または、過酸化水素、硫酸およびギ酸から工程（ａ）においてその場で生じる、過ギ酸と過硫酸の組合せである、請求項１０に記載の方法。
【請求項１２】
酸Ｈ＋ｎＸｎ−および過酸を生じさせるために使用される少なくとも１つの酸を含む、反応混合物中の酸の全量が、式Ｉの化合物の１モル当量あたり酸全体の０．６〜１４．０モル当量である、請求項７から１１のいずれか一項に記載の方法。
【請求項１３】
酸の全量が、式Ｉの化合物の１モル当量あたり酸全体の１．５〜４．５モル当量である、請求項１２に記載の方法。
【請求項１４】
沈殿温度が５℃〜２２℃の範囲にあり、反応混合物に存在する酸の全量が、式Ｉの化合物の１モル当量あたり酸全体の１〜７モル当量である、請求項１から１２のいずれか一項に記載の方法。
【請求項１５】
反応混合物に存在する酸の全量が、式Ｉの化合物の１モル当量あたり酸全体の１〜５モル当量である、請求項１４に記載の方法。
【請求項１６】
式Ｖの化合物が、１４−ヒドロキシコデイノン硫酸塩またはその溶媒和物である、請求項１から１５のいずれか一項に記載の方法。
【請求項１７】
式Ｖの化合物が、１４−ヒドロキシコデイノン硫酸塩の水和物であり、該水和物が、一水和物、二水和物、三水和物、四水和物、五水和物、または六水和物である、請求項１６に記載の方法。
【請求項１８】
式（Ｉ）の化合物が、テバインまたはその塩もしくは溶媒和物であり、
酸化剤が、過酸化水素とギ酸から形成される過ギ酸を含みまたは過ギ酸であり、
工程（ｂ）における酸Ｈ＋ｎＸｎ−が、反応混合物に添加される硫酸であり、
式Ｖの化合物が、１４−ヒドロキシコデイノン硫酸塩またはその溶媒和物である、請求項１から１７のいずれか一項に記載の方法。
【請求項１９】
式Ｖを有する化合物またはその溶媒和物から式ＩＶの化合物またはその塩もしくは溶媒和物を調製する方法であって、
【化８１】
2015524406.tif 000005
（式中、Ｒ１は、−ＣＨ３であり；
Ｒ２は、−Ｈ、−ＣＨ３、−（Ｃ２〜Ｃ７）アルキル、−（Ｃ２〜Ｃ４）アルケニル、ベンジル、−（Ｃ１〜Ｃ７）アルキル−（Ｃ３〜Ｃ７）シクロアルキル、−ＣＮ、またはＮ−保護基であり；
Ｘｎ−は、ＳＯ４２−である）
【化５８】
2015524406.tif 000006
（ａ）式Ｉの化合物を酸化すること；
（ｂ）酸化反応前および／または酸化反応中に反応混合物に酸Ｈ＋ｎＸｎ−を添加すること；
（ｃ）式Ｖの化合物を沈殿させること；
（ｄ）前記反応混合物から前記沈殿を分離すること
（ｅ）工程（ｄ）において分離された式Ｖを有する化合物もしくはその溶媒和物の溶液または懸濁液を用意する工程；および
（ｆ）式Ｖの化合物を式ＩＶの化合物に還元する工程
を含む方法。
【請求項２０】
式ＩＶの化合物が、その塩の形態
【化８４】
2015524406.tif 000007
（式中、Ｒ１は、−ＣＨ３であり；
Ｒ２は、−Ｈ、−ＣＨ３、−（Ｃ２〜Ｃ７）アルキル、−（Ｃ２〜Ｃ４）アルケニル、ベンジル、−（Ｃ１〜Ｃ７）アルキル−（Ｃ３〜Ｃ７）シクロアルキル、−ＣＮ、またはＮ−保護基であり；
Ｘｎ−は、ＳＯ４２−である）
またはその溶媒和物で調製される、請求項１９に記載の方法。
【請求項２１】
Ｒ２が、−ＣＨ３または−Ｈである、請求項１９または２０に記載の方法。
【請求項２２】
式（Ｉ）の化合物が、テバインまたはその塩もしくは溶媒和物であり、
酸化剤が、過酸化水素とギ酸からその場で形成される過ギ酸を含み、または該過ギ酸であり、
工程（ｂ）における酸Ｈ＋ｎＸｎ−が、反応混合物に添加される硫酸であり、
式Ｖを有する化合物が、１４−ヒドロキシコデイノン硫酸塩またはその溶媒和物であり、
式ＩＶの化合物が、オキシコドンまたはその塩もしくは溶媒和物である、請求項１９から２１のいずれか一項に記載の方法。
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
哺乳動物における細胞内ＮＡＤ＋を増加させる薬剤を含む、哺乳動物の難聴を予防、緩和又は治療するための医薬製剤であって、該薬剤が、らせん神経節神経細胞、内有毛細胞および外有毛細胞、支持細胞ならびにシュワン細胞からなる群より選ばれる１つ以上の細胞中の細胞内ＮＡＤ＋を増加させる医薬製剤。
【請求項２】
薬剤がニコチンアミドリボシドである請求項１に記載の医薬製剤。
【請求項３】
難聴が騒音曝露によるものである請求項１又は２に記載の医薬製剤。
【請求項４】
難聴が、ゲンタマイシン又はシスプラチンを用いる哺乳動物の治療に起因する薬物毒性により起こる請求項１又は２に記載の医薬製剤。
【請求項５】
難聴が、メニエール病に関連する請求項１又は２に記載の医薬製剤。
【請求項６】
薬剤が細胞中の酸化的損傷を抑制する請求項１に記載の医薬製剤。
【請求項７】
薬剤がＳＩＲＴ３を活性化する請求項６に記載の医薬製剤。
【請求項８】
薬剤の経口的、注射、または中耳洞への鼓室内注射による投与のための請求項１〜７のいずれか１項に記載の医薬製剤。
【請求項９】
薬剤が聴覚保護剤として作用するかどうかを判定する方法であって、（ａ）哺乳動物を提供する工程、（ｂ）哺乳動物に薬剤を投与する工程、（ｃ）哺乳動物を騒音に曝露する工程および（ｄ）哺乳動物の聴覚関連細胞中のＮＡＤ＋レベルを判定し、それにより薬剤が聴覚保護剤として作用するかどうかを哺乳動物の聴覚関連細胞中のＮＡＤ＋レベルに基づき判定する工程を含み、哺乳動物の聴覚関連細胞中の細胞内ＮＡＤ＋レベルの増加が、薬剤が聴覚保護剤として作用することを示す方法。
【手続補正２】
【補正対象書類名】明細書
【補正対象項目名】００２８
【補正方法】変更
【補正の内容】
【００２８】
本発明は、化合物が聴覚保護剤として作用するかどうかを判定する方法も提供する。該方法は、（ａ）哺乳動物を提供する工程、（ｂ）哺乳動物に薬剤を投与する工程、（ｃ）哺乳動物を騒音に曝露する工程および（ｄ）哺乳動物の聴覚関連細胞中のＮＡＤ＋レベルを判定する工程を含み、それにより化合物が聴覚保護剤として作用するかどうかを哺乳動物の聴覚関連細胞中のＮＡＤ＋レベルに基づき判定する。
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
少なくとも１つの、Ｎ末がトランケートされた細胞外ＣＤ９５ドメインの機能性フラグメント、および、少なくとも１つのＦｃドメインまたはその機能性フラグメントを含む、
融合タンパク質であって、
前記細胞外ＣＤ９５ドメインの機能性フラグメントは、最大で３３個のＮ末に位置するアミノ酸がトランケートされた配列番号７からなり、
前記細胞外ドメインは、配列番号９、配列番号１０、配列番号１１、配列番号１２、および、配列番号９、配列番号１０、配列番号１１、配列番号１２に対して少なくとも９７％の同一性を有する配列からなる群より選択されるアミノ酸配列からなり、
前記少なくとも１つのＦｃドメインはヒトＦｃドメインであり、配列番号８、および、配列番号８に対して少なくとも９７％の同一性を有する配列からなる群より選択されるアミノ酸配列からなる、
融合タンパク質。
【請求項２】
請求項１に記載の融合タンパク質であって、
前記融合タンパク質はシグナルペプチドがない、または、
前記融合タンパク質はＮ末に位置するシグナルペプチドを含み、特に、前記のＮ末に位置するシグナルペプチドが、自然発生のＣＤ９５シグナルペプチドまたは人工シグナルペプチドである、
融合タンパク質。
【請求項３】
請求項１または２に記載の融合タンパク質であって、
前記の細胞外ＣＤ９５ドメインまたはその機能性フラグメントが、前記の少なくとも１つのＦｃドメインまたはその機能性フラグメントのＮ末に位置し、好ましくは、前記の細胞外ＣＤ９５ドメインまたはその機能性フラグメントが、Ｆｃドメインまたはその機能性に直接融合している、
融合タンパク質。
【請求項４】
請求項１に記載の融合タンパク質であって、
前記融合タンパク質が、配列番号３、配列番号４、配列番号５、配列番号６、および、配列番号３、配列番号４、配列番号５、または配列番号６に対して少なくとも９７％の同一性を有する配列からなる群より選択される配列を含む、
融合タンパク質。
【請求項５】
請求項１から４のいずれか一項に記載の融合タンパク質をコードする、
核酸分子。
【請求項６】
請求項５の核酸分子を含む、宿主細胞。
【請求項７】
請求項１から４のいずれかに記載の融合タンパク質または／および請求項５に記載の核酸分子を含む、製剤であって、特に、
（ａ）リン酸、好ましくは約２０ｍＭ〜約１００ｍＭのリン酸、より好ましくは約５０ｍＭのリン酸、
（ｂ）ソルビトールのような粘度増強剤、好ましくは約０．１〜１０重量％の粘度増強剤、より好ましくは約５重量％の粘度増強剤をさらに含み、および／または、
（ｃ）４〜８の範囲のｐＨ値を有する、
ことを特徴とする、
製剤。
【請求項８】
配列番号９、配列番号１０、配列番号１１、または配列番号１２、または、配列番号９、配列番号１０、配列番号１１、または配列番号１２に対して少なくとも９７％の同一性を有する配列からなる、ポリペプチド、および／または、
前記ポリペプチドをコードする核酸。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
式：
シクロ(−Ｔｈｒ−Ｔｒｐ−Ｉｌｅ−Ｄａｂ−Ｏｒｎ−ＤＤａｂ−Ｄａｂ−Ｔｒｐ−Ｄａｂ−Ｄａｂ−Ａｌａ−Ｓｅｒ−ＤＰｒｏ−Ｐｒｏ)                    (Ｉ)
(式中、
Ｄａｂは、(Ｓ)−２,４−ジアミノブタン酸であり；
ＤＤａｂは、(Ｒ)−２,４−ジアミノブタン酸であり；
Ｏｒｎは、(Ｓ)−２,５−ジアミノペンタン酸である)
のβ-ヘアピンペプチド模倣体、ならびに
Ph. Eur. 7th (7.5) Editionに記載の抗菌活性を有するさらなる化合物、あるいはその医薬上許容し得る塩、水和物または溶媒和物
を含む、組合せ。
【請求項２】
さらなる抗菌性化合物が、アミノグリコシド類、アンサマイシン類、アンフェニコール類、カルバペネム類、セファロスポリン類、ジアミノピリミジン類、グリコペプチド類、リンコサミド類、リポペプチド類、マクロライド類、β-ラクタム類、モノバクタム類、ニトロフラン類、ニトロイミダゾール類、オキサゾリジノン類、ペニシリン類、プリューロムチリン類、ポリペプチド類、キノロン類、リファマイシン類、ストレプトグラミン類、スルホンアミド類またはテトラサイクリン類、あるいはその医薬上許容し得る塩から選択される、請求項１に記載の組合せ。
【請求項３】
さらなる抗菌性化合物が、シプロフロキサシン、レボフロキサシン、モキシフロキサシン、ゲミフロキサシン、セフタロリン、セフトビプロール、セフタジジム、セフトリアキソン、セフェピム、ダプトマイシン、ラモプラニン、バンコマイシン、コリスチン、ポリミキシンＢ、エルタペネム、メロペネム、ドリペネム、イミペネム、アズトレオナム、ピペラシリン、アミカシン、リファンピシン、ネオマイシン、ゲンタマイシン、トブラマイシン、ホスホマイシン、アジスロマイシン、ミノサイクリン、ドキシサイクリンまたはテトラサイクリン、あるいはその医薬上許容し得る塩から選択される、請求項１に記載の組合せ。
【請求項４】
さらなる抗菌性化合物が、β-ラクタム類、カルバペネム類、マクロライド類、キノロン類またはアミノグリコシド類、あるいはその医薬上許容し得る塩から選択される、請求項１に記載の組合せ。
【請求項５】
さらなる抗菌性化合物が、エルタペネム、アジスロマイシン、シプロフロキサシンまたはアミカシン、あるいはその医薬上許容し得る塩から選択される、請求項１に記載の組合せ。
【請求項６】
さらなる抗菌性化合物が、カルバペネム類またはその医薬上許容し得る塩から選択される、請求項１に記載の組合せ。
【請求項７】
さらなる抗菌性化合物が、マクロライド類またはその医薬上許容し得る塩から選択される、請求項１に記載の組合せ。
【請求項８】
さらなる抗菌性化合物が、キノロン類またはその医薬上許容し得る塩から選択される、請求項１に記載の組合せ。
【請求項９】
さらなる抗菌性化合物が、アミノグリコシド類またはその医薬上許容し得る塩から選択される、請求項１に記載の組合せ。
【請求項１０】
さらなる抗菌性化合物が、エルタペネムまたはその医薬上許容し得る塩である、請求項１に記載の組合せ。
【請求項１１】
さらなる抗菌性化合物が、アジスロマイシンまたはその医薬上許容し得る塩である、請求項１に記載の組合せ。
【請求項１２】
さらなる抗菌性化合物が、シプロフロキサシンまたはその医薬上許容し得る塩である、請求項１に記載の組合せ。
【請求項１３】
さらなる抗菌性化合物が、アミカシンまたはその医薬上許容し得る塩である、請求項１に記載の組合せ。
【請求項１４】
医薬に使用するための、請求項１〜１３のいずれか一項に記載の組合せ。
【請求項１５】
ヒトまたは動物において感染または前記感染に関連のある疾患を治療するための、請求項１〜１３のいずれか一項に記載の組合せ。
【請求項１６】
ヒトまたは動物において感染または前記感染に関連のある疾患の治療において使用するための、請求項１〜１３のいずれか一項に記載の組合せ。
【請求項１７】
ヒトまたは動物において感染または前記感染に関連のある疾患を治療するための医薬組成物の製造のための、請求項１〜１３のいずれか一項に記載の組合せの使用。
【請求項１８】
請求項１〜１３のいずれか一項に記載の組合せ、および少なくとも１つの医薬上不活性な担体を含む、医薬組成物。
【請求項１９】
経口投与、局所投与、経皮投与、注射投与、点滴投与、口腔投与、経粘膜投与、直腸投与、膣内投与、経肺投与または吸入投与に適切な形態、特に錠剤、糖衣錠、カプセル剤、溶液剤、液剤、ゲル剤、プラスター剤、クリーム剤、軟膏剤、シロップ剤、スラリー剤、粉剤、懸濁剤、スプレー剤、ネブライザーまたは坐剤の形態にある、請求項１８に記載の医薬組成物。
【請求項２０】
ヒトまたは動物において感染または前記感染に関連のある疾患を治療するための、請求項１８または請求項１９に記載の医薬組成物。
【請求項２１】
請求項１に記載の式(Ｉ)のβ-ヘアピンペプチド模倣体またはその医薬上許容し得る塩を含有する部分、およびPh. Eur. 7th (7.5) Editionに記載の抗菌活性を有する化合物またはその医薬上許容し得る塩を含有する部分を含む、キット。
【請求項２２】
請求項１に記載の式(Ｉ)のβ-ヘアピンペプチド模倣体またはその医薬上許容し得る塩を含有する部分、およびβ-ラクタム類、カルバペネム類、マクロライド類、キノロン類またはアミノグリコシド類、あるいはその医薬上許容し得る塩から選択される抗菌活性を有する化合物を含有する部分を含む、キット。
【請求項２３】
抗菌活性を有する化合物が、エルタペネム、メロペネム、アジスロマイシン、シプロフロキサシン、アミカシン、ネオマイシン、トブラマイシン、コリスチン、ポリミキシンＢ、ミノサイクリンまたはテトラサイクリン、あるいはその医薬上許容し得る塩から選択される、請求項２１に記載のキット。
【請求項２４】
抗菌活性を有する化合物が、エルタペネム、アジスロマイシン、シプロフロキサシンまたはアミカシン、あるいはその医薬上許容し得る塩から選択される、請求項２１に記載のキット。
【請求項２５】
抗菌活性を有する化合物が、エルタペネムまたはその医薬上許容し得る塩である、請求項２１に記載のキット。
【請求項２６】
抗菌活性を有する化合物が、アジスロマイシンまたはその医薬上許容し得る塩である、請求項２１に記載のキット。
【請求項２７】
抗菌活性を有する化合物が、シプロフロキサシンまたはその医薬上許容し得る塩である、請求項２１に記載のキット。
【請求項２８】
抗菌活性を有する化合物が、アミカシンＡＧまたはその医薬上許容し得る塩である、請求項２１に記載のキット。
【請求項２９】
ヒトまたは動物において感染または前記感染に関連する疾患を治療するための、請求項２１〜２８のいずれか一項に記載のキット。
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
中枢神経系の神経変性疾患又はその他の疾患の治療のための、鼻腔内投与用医薬組成物であって、成長因子に富む血漿である成長因子含有血液成分を含む、上記医薬組成物。
【請求項２】
血液成分が、上清である、請求項１に記載の組成物。
【請求項３】
血液成分が、ゲルである、請求項１に記載の組成物。
【請求項４】
鼻腔内経路による中枢神経系の神経変性疾患又はその他の疾患の治療において使用するための治療物質の製造方法であって、該治療物質が成長因子に富む血漿である成長因子含有血液成分を含む、上記方法。
【請求項５】
血液成分が、血漿上清である、請求項４に記載の方法。
【請求項６】
血液成分が、血漿ゲルである、請求項４に記載の方法。
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
ヒト患者における群発頭痛および／または片頭痛を治療または予防する方法における使用のための医薬組成物であって、
前記組成物が、プラミペキソールを含み、
前記方法が、前記ヒト患者に対して前記プラミペキソールを経皮的に投与することを含む、
医薬組成物。
【請求項２】
前記医薬組成物が、パッチの形態である、請求項1に記載の医薬組成物。
【請求項３】
前記経皮パッチが、接着剤における単層薬物、接着剤における多層薬物、リザーバパッチ、モノリシックパッチおよび蒸気パッチのうち少なくとも1種から選択される形態である、請求項2に記載の医薬組成物。
【請求項４】
前記経皮パッチが、接着剤における単層薬物、接着剤における多層薬物、モノリシックパッチおよび蒸気パッチのうち少なくとも1種から選択される形態である、請求項3に記載の医薬組成物。
【請求項５】
前記群発頭痛および／または片頭痛が、再発性または慢性である、請求項1〜4のいずれか一項に記載の医薬組成物。
【請求項６】
前記プラミペキソールが、1日当たり0.01mg〜10mgの用量で1〜7日間送達される、請求項1〜5のいずれか一項に記載の医薬組成物。
【請求項７】
患者への薬物の投与速度が、1時間当たり1μg〜200μgに及ぶ、請求項6に記載の医薬組成物。
【請求項８】
前記プラミペキソールが、その遊離塩基形態で送達される、請求項1〜7のいずれか一項に記載の医薬組成物。
【請求項９】
前記医薬組成物が、頭痛の治療または予防に有用な追加的な薬物をさらに含む、請求項1〜8のいずれか一項に記載の医薬組成物。
【請求項１０】
前記追加的な薬物が、セロトニン受容体アゴニスト、NSAID、抗うつ薬、麦角アルカロイド、オピオイド、抗てんかん薬、抗痙攣薬、カルシウムチャネル遮断薬およびベータ遮断薬のうち少なくとも1種から選択される、請求項9に記載の医薬組成物。
【請求項１１】
（ｉ）前記セロトニン受容体アゴニストが、スマトリプタン、エレトリプタン(elitriptan)、フロバトリプタン(frovotriptan)、ゾルミトリプタン、ナラトリプタン、リザトリプタンおよびアルモトリプタンのうち少なくとも1種から選択され；ならびに／または
（ｉｉ）前記NSAIDが、イブプロフェン、ナプロキセン、アスピリン、アセトアミノフェン、インドメタシンおよびケトプロフェンのうち少なくとも1種から選択され；ならびに／または
（ｉｉｉ）前記抗うつ薬が、アミトリプチリンであり；ならびに／または
（ｉｖ）前記麦角アルカロイドが、エルゴタミンであり；ならびに／または
（ｖ）前記オピオイドが、オキシコドンおよびヒドロコドンのうち少なくとも1種から選択され；ならびに／または
（ｖｉ）前記抗てんかん薬が、ガバペンチン、トピラメートおよびレベチラセタムのうち少なくとも1種から選択され；ならびに／または
（ｖｉｉ）前記抗痙攣薬が、吉草酸ナトリウムであり；ならびに／または
（ｖｉｉｉ）前記カルシウムチャネル遮断薬が、ベラパミルおよびアムロジピンのうち少なくとも1種から選択され；ならびに／または
（ｉｘ）前記ベータ遮断薬が、プロプラノロール(propanolol)、メトプロロール、カルベジロールおよびアテノロールのうち少なくとも1種から選択される、
請求項10に記載の医薬組成物。
【手続補正書】
【提出日】平成28年3月1日(2016.3.1)
【手続補正１】
【補正対象書類名】明細書
【補正対象項目名】００３５
【補正方法】変更
【補正の内容】
【００３５】
経口崩壊錠のためのキャリヤーには、例えば潤滑剤、凝集剤、甘味料、香味料、または崩壊剤、ならびに活性成分の頬粘膜吸収を向上させる薬剤、例えばソルビトール、マンニトール、ラクトースおよびセルロースが含まれる。
【誤訳訂正書】
【提出日】平成28年6月14日(2016.6.14)
【誤訳訂正１】
【訂正対象書類名】特許請求の範囲
【訂正対象項目名】請求項１４
【訂正方法】変更
【訂正の内容】
【請求項１４】
請求項１〜１３のいずれか一項に定義される式Ｉの化合物の製造プロセスであって、以下を含むプロセス：
式：
【化３３４】
2015524456.tif 000001
で表される化合物を、
式：
【化３３５】
2015524456.tif 000002
で表される化合物と反応させて、式：
【化３３６】
2015524456.tif 000003
［式中、置換基は、上述したとおりである］
で表される化合物にすること
及び所望であれば、得られた化合物を薬学的に許容しうる酸付加塩に変換すること。
【誤訳訂正２】
【訂正対象書類名】明細書
【訂正対象項目名】００３０
【訂正方法】変更
【訂正の内容】
【００３０】
本発明の式Ｉの化合物及びその薬学的に許容しうる塩は、当技術分野において公知の方法、例えば、以下に記載のプロセスによって調製することでき、当該プロセスは、以下を含む：
式：
【化６】
2015524456.tif 000004
で表される化合物を、式：
【化７】
2015524456.tif 000005
で表される化合物と反応させて、式：
【化８】
2015524456.tif 000006
［式中、置換基は、上述したとおりである］
で表される化合物にすること
及び所望であれば、得られた化合物を薬学的に許容しうる酸付加塩に変換すること。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
式：
シクロ（−Ｔｈｒ−Ｔｒｐ−Ｉｌｅ−Ｄａｂ−Ｏｒｎ−ＤＤａｂ−Ｄａｂ−Ｔｒｐ−Ｄａｂ−Ｄａｂ−Ａｌａ−Ｓｅｒ−ＤＰｒｏ−Ｐｒｏ）                    （Ｉ）
(式中、
Ｄａｂは、(Ｓ)−２,４−ジアミノブタン酸であり；
ＤＤａｂは、(Ｒ)−２,４−ジアミノブタン酸であり；
Ｏｒｎは、(Ｓ)−２,５−ジアミノペンタン酸である)
のβ-ヘアピンペプチド模倣体、ならびに
グリシルサイクリン類の化合物、あるいはその医薬上許容し得る塩、水和物または溶媒和物を含む、組合せ。
【請求項２】
グリシルサイクリン類の化合物が、チゲサイクリンまたはその医薬上許容し得る塩である、請求項１に記載の組合せ。
【請求項３】
医薬に使用するための、請求項１または２に記載の組合せ。
【請求項４】
ヒトまたは動物において感染または前記感染に関連のある疾患を治療するための、請求項１または２に記載の組合せ。
【請求項５】
ヒトまたは動物において感染または前記感染に関連のある疾患の治療において使用するための、請求項１または２に記載の組合せ。
【請求項６】
ヒトまたは動物において感染または前記感染に関連のある疾患を治療するための医薬組成物の製造のための、請求項１または２に記載の組合せの使用。
【請求項７】
請求項１または２に記載の組合せ、および少なくとも１つの医薬上不活性な担体を含む、医薬組成物。
【請求項８】
経口投与、局所投与、経皮投与、注射投与、点滴投与、口腔投与、経粘膜投与、直腸投与、膣内投与、経肺投与または吸入投与に適切な形態、特に錠剤、糖衣錠、カプセル剤、溶液剤、液剤、ゲル剤、プラスター剤、クリーム剤、軟膏剤、シロップ剤、スラリー剤、粉剤、懸濁剤、スプレー剤、ネブライザーまたは坐剤の形態にある、請求項７に記載の医薬組成物。
【請求項９】
ヒトまたは動物において感染または前記感染に関連のある疾患を治療するための、請求項７または請求項８に記載の医薬組成物。
【請求項１０】
請求項１に記載の式(Ｉ)のβ-ヘアピンペプチド模倣体またはその医薬上許容し得る塩を含有する部分、およびグリシルサイクリン類の化合物またはその医薬上許容し得る塩を含有する部分を含む、キット。
【請求項１１】
グリシルサイクリン類の化合物が、チゲサイクリンまたはその医薬上許容し得る塩である、請求項１０に記載のキット。
【請求項１２】
ヒトまたは動物において感染または前記感染に関連する疾患を治療するための、請求項１０または請求項１１に記載のキット。